(57)【要約】【課題】戸体の高さ寸法の調整が可能でありながらも、施工性を向上し得る引戸装置を提供する。【解決手段】上レール１０に上端側がガイドされ、荷重を受ける下ガイド部材８に下端側がガイドされる戸体２０を備えた引戸装置１であって、前記戸体は、該戸体の上端面２９に沿うように取り付けられ、前記上レールに設けられたガイド溝１１に挿入される被ガイド部材３０，３７を備え、かつ、高さ寸法の調整が可能なように上端側部位が切断可能とされ、切断された際には、切断面が前記上端面となる構成とされており、前記戸体の上端部を受け入れる前記上レールの戸厚方向両側壁部１４，１４の内壁面には、前記戸体の上端面の高さ位置の確認が可能なように、複数の目印部１５，１５が上下方向に間隔を空けて、かつ互いに対向する位置となるように設けられている。【選択図】図１
2017141617.tif 000002
【特許請求の範囲】
【請求項１】
上レールに上端側がガイドされ、荷重を受ける下ガイド部材に下端側がガイドされる戸体を備えた引戸装置であって、
前記戸体は、該戸体の上端面に沿うように取り付けられ、前記上レールに設けられたガイド溝に挿入される被ガイド部材を備え、かつ、高さ寸法の調整が可能なように上端側部位が切断可能とされ、切断された際には、切断面が前記上端面となる構成とされており、
前記戸体の上端部を受け入れる前記上レールの戸厚方向両側壁部の内壁面には、前記戸体の上端面の高さ位置の確認が可能なように、複数の目印部が上下方向に間隔を空けて、かつ互いに対向する位置となるように設けられていることを特徴とする引戸装置。
【請求項２】
請求項１において、
前記上レールの戸厚方向両側壁部の内壁面の複数の目印部は、該上レールの長手方向に延びるように全長に亘って設けられたライン状目印部であることを特徴とする引戸装置。
【請求項３】
請求項２において、
前記上レールの戸厚方向両側壁部の内壁面の複数のライン状目印部は、互いに向き合う方向に向けて開口する目印溝であることを特徴とする引戸装置。
【請求項４】
請求項１乃至３のいずれか１項において、
前記戸体の上端面に沿うように取り付けられ、閉鎖位置及び全開位置のうちの少なくとも一方側に移動する前記戸体を減速させる緩衝機構と、前記上レールに設けられ、該緩衝機構を作動させる作用部と、を備えていることを特徴とする引戸装置。
【発明の詳細な説明】
【技術分野】
【０００１】
本発明は、引戸装置に関する。
【背景技術】
【０００２】
従来より、戸体は、その高さ寸法に応じた開口高となるように形成された開口に建て付けられることが一般的であるが、改装等によって異なる高さの戸体を施工したい場合には、開口を区画する壁体の改築を要するなど大掛かりな工事が必要になるという問題があった。
例えば、下記特許文献１には、蝶番で回動自在に支持されるドア本体の上部を切断可能とし、ドア本体の縦方向の寸法調整を可能としたドアーが開示されている。
【先行技術文献】
【特許文献】
【０００３】
【特許文献１】特許４０１６７５７号公報
【発明の概要】
【発明が解決しようとする課題】
【０００４】
ところで、上記特許文献１に記載されたドア本体のように、引戸装置の戸体の上端側部位を切断可能とした場合には、上レールにガイドされる戸体の上端側の被ガイド部材を切断後に取り付ける必要がある。このような場合には、切断後の戸体の上端面の高さ位置が所定位置からずれていたり、切断面が傾斜したりしていれば、その切断面に取り付けられた被ガイド部材が上レールに円滑にガイドされ難くなり、戸体の上端側の再調整や被ガイド部材の再取付が必要となる。
【０００５】
本発明は、上記実情に鑑みてなされたものであり、戸体の高さ寸法の調整が可能でありながらも、施工性を向上し得る引戸装置を提供することを目的としている。
【課題を解決するための手段】
【０００６】
上記目的を達成するために、本発明に係る引戸装置は、上レールに上端側がガイドされ、荷重を受ける下ガイド部材に下端側がガイドされる戸体を備えた引戸装置であって、前記戸体は、該戸体の上端面に沿うように取り付けられ、前記上レールに設けられたガイド溝に挿入される被ガイド部材を備え、かつ、高さ寸法の調整が可能なように上端側部位が切断可能とされ、切断された際には、切断面が前記上端面となる構成とされており、前記戸体の上端部を受け入れる前記上レールの戸厚方向両側壁部の内壁面には、前記戸体の上端面の高さ位置の確認が可能なように、複数の目印部が上下方向に間隔を空けて、かつ互いに対向する位置となるように設けられていることを特徴とする。
【発明の効果】
【０００７】
本発明に係る引戸装置は、上述のような構成としたことで、戸体の高さ寸法の調整が可能でありながらも、施工性を向上させることができる。
【図面の簡単な説明】
【０００８】
【図１】本発明の一実施形態に係る引戸装置の一例を施工した状態の一例を模式的に示し、図２（ｃ）におけるＹ−Ｙ線矢視に対応させた一部破断概略縦断面図である。
【図２】（ａ）は、同引戸装置が備える戸体の一例を模式的に示す概略正面図、（ｂ）は、同戸体の芯材の一例を模式的に示す概略正面図、（ｃ）は、図１におけるＸ１−Ｘ１線矢視に対応させた一部破断概略横断面図である。
【図３】（ａ）は、図１におけるＸ２−Ｘ２線矢視に対応させた一部を省略した一部破断概略横断面図、（ｂ）は、同引戸装置の一部を省略した一部破断概略正面図である。
【図４】（ａ）、（ｂ）は、図３（ｂ）に対応させた一部破断概略正面図である。
【図５】図１に対応させた一部を省略した一部破断概略縦断面図である。
【図６】同引戸装置の一例を異なる開口高とされた開口に施工した状態の一例を模式的に示す図５に対応させた一部を省略した一部破断概略縦断面図である。
【発明を実施するための形態】
【０００９】
以下に本発明の実施の形態について、図面に基づいて説明する。
なお、一部の図では、他図に付している詳細な符号の一部を省略している。
また、以下の実施形態では、引戸装置を設置した状態を基準として上下方向等の方向を説明する。
【００１０】
図１〜図６は、本実施形態に係る引戸装置の一例を模式的に示す図である。
本実施形態に係る引戸装置１は、図１に示すように、上レール１０に上端側がガイドされ、荷重を受ける下ガイド部材８に下端側がガイドされる戸体２０を備えた構成とされている。つまり、引戸装置１は、戸体２０の荷重を下ガイド部材８によって受ける下荷重型とされている。
また、戸体２０は、図１及び図２（ａ）に示すように、この戸体２０の上端面２９に沿うように取り付けられ、上レール１０に設けられたガイド溝１１に挿入される被ガイド部材３０，３７を備えている。また、戸体２０は、高さ寸法の調整が可能なように上端側部位が切断可能とされ、切断された際には、切断面が上端面２９となる構成とされている。また、戸体２０の上端部を受け入れる上レール１０の戸厚方向両側壁部１４，１４の内壁面に、戸体２０の上端面２９の高さ位置の確認が可能なように、複数の目印部１５，１５を上下方向に間隔を空けて、かつ互いに対向する位置となるように設けた構成としている。
【００１１】
この引戸装置１の戸体２０は、図１及び図２（ｃ）に示すように、住居等の建物の壁体２を貫通するように設けられた出入口となる開口９を開閉する構成とされている。本実施形態では、引戸装置１を、単一の戸体２０を備えた構成とし、片引き状にスライドされて開口９を開閉する構成としている。また、引戸装置１を、壁体２の一部に設けられた袖壁に戸体２０が納められる袖壁納めで建て付けられる構成としている。また、図例では、開口９の上側及び左右（開口幅方向）両側を、開口枠を構成する上枠４、戸先側縦枠５及び中間縦枠（中方立）７によって区画した例を示している。また、袖壁の基端部に、開口枠を構成する戸尻側縦枠６を設けた例を示している。また、開口９の下側を、下ガイド部材としての下レール８によって区画した例を示している。
【００１２】
上枠４には、上レール１０を受け入れる凹溝４ａが設けられている。この凹溝４ａは、上枠４の全長に亘って下向きに開口するように設けられている。また、この上枠４の長手方向両端部に戸先側縦枠５及び戸尻側縦枠６の上端部が接合され、長手方向略中央部に中間縦枠７の上端部が接合される。なお、この上枠４の長手方向略中央部に、中間縦枠７の上端部が係合する切欠状の係合凹部を設けるようにしてもよい。また、戸先側縦枠５及び戸尻側縦枠６の見込面（対向面）に、戸体２０の戸幅方向の各端部が納められる戸じゃくり溝を全長に亘ってそれぞれに設けた例を示している。また、中間縦枠７の戸体２０に対面する側の端部に、戸体２０の袖壁に対面する側の面に摺るように接する隙間遮蔽部材（モヘア部材）７ａを設けた例を示している。
【００１３】
また、図例では、これら上枠４、一対の縦枠５，６及び中間縦枠７を、固定枠とした例を示しているが、いわゆるケーシング枠としてもよい。また、これら開口枠を構成する上枠４、一対の縦枠５，６及び中間縦枠７は、引戸装置１が備えるものとしてもよく、または、これらのうちの全て若しくは一部が既設の開口枠を構成するものとしてもよい。既設の上枠４を利用する場合には、後記する上レール１０に応じた凹溝４ａを、適宜、形成するようにしてもよい。また、上枠４、一対の縦枠５，６及び中間縦枠７のうちの全てまたは一部を引戸装置１が備えるものとした場合には、対応する既設の枠材がある場合には、その枠材を撤去するようにすればよい。
【００１４】
下レール８は、一対の縦枠５，６間の全体に亘って延びるように長尺状とされ、床側に配される構成とされている。この下レール８には、後記する戸体２０の下端部に設けられた戸車２８が係合する上方側に向けて開口するガイド溝８ａが全長に亘って設けられている。また、図例では、この下レール８を、床上に設置される、いわゆる直付レールとしているが、下枠に埋込状に設けられるものや、床に埋込状に設けられるものとしてもよい。また、この下レール８は、引戸装置１が備えるものとしてもよく、または、既設のものでもよい。この下レール８を、引戸装置１が備えるものとした場合において、上記同様、既設の下レールがある場合には、それを撤去するようにすればよい。なお、当該引戸装置１の施工対象としては、開口枠等が設けられる枠下地によって区画された既設の開口部に限られず、新設の開口部でもよい。
【００１５】
上レール１０は、一対の縦枠５，６間の全体に亘って延びるように長尺状とされ、上枠４に取り付けられる構成とされている。この上レール１０は、下レール８の直上に位置するように配される。また、この上レール１０は、全長に亘って一様な断面形状とされている。また、上レール１０には、下方側に向けて開口するガイド溝１１が全長に亘って設けられている。本実施形態では、上レール１０を、１本のガイド溝１１が設けられた単レールとしている。
また、この上レール１０を、上側部位が上枠４の凹溝４ａに差し入れられるように取り付けられる構成としている。また、上レール１０の戸厚方向（幅方向）両側の下側部位に、幅方向外方側に向けて突出し上枠４の凹溝４ａの両開口縁に当接される突段部が形成されるように、下側部位の外郭の幅寸法を、上側部位の外郭の幅寸法よりも大きくした例を示している。上レール１０の上側部位の外郭の幅寸法は、上枠４の凹溝４ａの溝幅寸法と略同寸法とされ、上レール１０の上側部位の上下寸法は、上枠４の凹溝４ａの溝深さ寸法と略同寸法とされている。
【００１６】
この上レール１０は、ガイド溝１１の溝底を構成し、上枠４の凹溝４ａの溝底に当接される天壁部１２と、この天壁部１２の幅方向両端から垂れ下がるように連成され、戸体２０の上端部を受け入れる幅方向両側壁部としての両側壁部１４，１４と、を備えている。これら天壁部１２及び両側壁部１４，１４によって上レール１０の外郭が構成される。
本実施形態では、ガイド溝１１の溝幅寸法を、戸体２０の上端部を受け入れる両側壁部１４，１４間の寸法よりも小としている。つまり、両側壁部１４，１４によって溝幅方向両側が区画される凹溝の溝幅寸法を、ガイド溝１１の溝幅寸法よりも大としている。
また、上レール１０に、このガイド溝１１の溝幅方向両側を区画するガイド壁部１３，１３を設けた構成としている。また、これらガイド壁部１３，１３を、両側壁部１４，１４から幅方向内方側にそれぞれに間隔を空けた位置となるように、かつ天壁部１２の下面側から下方側に向けて突出させるように設けた構成としている。また、これらガイド壁部１３，１３の上下方向に沿う寸法を、両側壁部１４，１４の上下方向に沿う寸法よりも小としている。つまり、ガイド溝１１の溝深さ寸法を、両側壁部１４，１４によって溝幅方向両側が区画される凹溝の溝深さ寸法よりも小としている。
【００１７】
天壁部１２は、上下方向に厚さ方向を沿わせて配される略薄板状とされている。この天壁部１２を介して釘やねじ等の止具が上枠４に止着され、当該上レール１０が上枠４に取り付けられる。図例では、この天壁部１２の幅方向中央の下面側に、止具の誘い（目印）となる細溝を全長に亘って設けた例を示している。なお、このような細溝に代えて、または加えて、天壁部１２に、長手方向に間隔を空けて複数の止具挿通孔を設けた構成としてもよい。
両側のガイド壁部１３，１３は、上レール１０の幅方向に厚さ方向を沿わせた略薄板状とされ、互いに平行状に設けられている。これらガイド壁部１３，１３は、ガイド溝１１の溝幅方向中心と天壁部１２の幅方向中心とが一致するように、それぞれの隣接する側壁部１４，１４から等間隔を空けて設けられている。また、これらガイド壁部１３，１３に区画されるガイド溝１１の溝幅方向両側内壁面は、互いに平行状で平坦面状とされている。また、ガイド溝１１の溝底は、両側内壁面に対して直交状とされ、かつ下方側に向く平坦面状とされている。
【００１８】
両側壁部１４，１４は、上レール１０の幅方向に厚さ方向を沿わせた略薄板状とされ、互いに平行状に設けられている。これら両側壁部１４，１４は、上レール１０の幅方向外方側に向く外壁面側の下側部位に突段部が形成されるように、内壁面側の下側部位に互いに向き合う方向に開口する凹段部を設けた構成とされている。つまり、これら両側壁部１４，１４は、上下方向途中部位において上レール１０の幅方向外方側に屈曲されたような形状とされている。図例では、これら両側壁部１４，１４の屈曲部をガイド壁部１３，１３の下端よりも上方側に位置するように設けた例を示している。また、図例では、両側壁部１４，１４の下側部位の厚さ寸法を、上側部位の厚さ寸法よりも大とした例を示している。
【００１９】
本実施形態では、これら両側壁部１４，１４の下側部位の互いに向き合う内壁面に、複数の目印部１５，１５を設けた構成としている。これら複数の目印部１５，１５は、一方の側壁部１４の各目印部１５と他方の側壁部１４の各目印部１５とが上下方向で互いに同高さ位置となるように設けられている。つまり、一方の側壁部１４の各目印部１５と他方の側壁部１４の各目印部１５とが上レール１０の幅方向に見て互いに重なり合う位置となるように設けられている。また、これら目印部１５，１５は、戸体２０の上端面２９の高さ位置が所定の高さ位置であるか否かの確認が可能で、かつ位置ずれがあった場合における位置ずれ寸法の確認が可能なように、両側壁部１４，１４の内壁面に設けられたものとしてもよい。
【００２０】
本実施形態では、これら両側壁部１４，１４のそれぞれに、上下方向に等間隔を空けて複数の目印部１５，１５を設けた構成としている。上下方向に隣り合う目印部１５，１５の間隔（ピッチ）は、戸体２０の上端面２９の高さ位置の確認のし易さや、上端面２９の高さ位置の許容誤差等に応じて適宜の間隔としてもよい。これら目印部１５，１５の間隔（ピッチ）を、例えば、０．５ｍｍ〜３．０ｍｍ程度としてもよく、１．０ｍｍ程度としてもよい。
また、本実施形態では、これら両側壁部１４，１４の複数の目印部１５，１５を、上レール１０の長手方向に延びるように全長に亘って設けられたライン状目印部１５，１５としている。目印部１５，１５を、このようにライン状目印部１５，１５とし、上下に比較的に隣接させて設けた場合には、これらライン状目印部１５，１５間をも目印部として把握するようにしてもよい。
また、本実施形態では、これら両側壁部１４，１４の複数のライン状目印部１５，１５を、互いに向き合う方向に向けて開口する目印溝１５，１５としている。
【００２１】
これら目印溝１５，１５は、溝長手方向を上レール１０の長手方向に沿わせた構成とされ、図例では、溝長手方向に見て、略Ｖ字溝状とされている。なお、このような態様に代えて、目印溝１５，１５を溝長手方向に見た形状を、略Ｕ字溝状や略コ字溝状、略逆台形状等としてもよい。
また、これら目印溝１５，１５の溝深さ寸法や溝幅寸法は、これら目印溝１５，１５の成形性や視認性、両側壁部１４，１４の強度上の観点等から適宜の寸法としてもよい。
これら目印溝１５，１５の溝深さ寸法や溝幅寸法を、上下方向に隣り合う目印溝１５，１５のピッチ（溝幅方向中心間寸法）と同程度としてもよいが、図例では、溝幅寸法をピッチよりも小さい寸法とした例を示している。つまり、上下方向に隣り合う目印溝１５，１５間に、上レール１０の幅方向に向く平坦面部を設けた構成としている。なお、このような態様に代えて、これら目印溝１５，１５の溝幅寸法とピッチとを略同寸法としてもよい。つまり、複数の目印溝１５，１５を、上下方向に隣接させて連続状に設けた構成としてもよい。
【００２２】
また、図例では、両側壁部１４，１４の下側部位の上下方向の全体に亘って複数の目印溝１５，１５を設けた例を示しているが、両側壁部１４，１４の下側部位の下端側部位のみや途中部位のみに複数の目印溝１５，１５を設けた構成としてもよい。これら複数の目印溝１５，１５は、所定の高さ位置とされた戸体２０の上端面２９と同高さとなる位置と、その上下両側となる位置と、に少なくとも設けられたものとしてもよい。つまりは、戸体２０の上端面２９の望ましい高さ位置を示す目印溝１５，１５と、これらの上下両側の目印溝１５，１５，１５，１５と、を少なくとも設けた構成としてもよい。また、戸体２０の上端面２９の望ましい高さ位置を示す目印溝１５，１５を、その他の目印溝１５，１５とは区別可能とされたものとしてもよい。
【００２３】
なお、図例では、両側壁部１４，１４と、これらの内方側に隣接する各ガイド壁部１３，１３と、の間に隙間を設けた例を示しているが、このような態様に限られない。例えば、両側壁部１４，１４の上下方向途中部位と、これらの内方側に隣接する各ガイド壁部１３，１３の下端部や上下方向途中部位と、を接続片部によって接続したり、これらの間を中実状等としたりしてもよい。
また、上レール１０は、適宜の金属系材料や硬質の合成樹脂系材料から押出成形によって一体的に成形された押出成形品としてもよく、鋳造成形や切削加工等によって形成されたものとしてもよい。
【００２４】
戸体２０は、図１及び図２（ａ）に示すように、上下方向に長尺な略矩形平板状とされている。この戸体２０の戸幅寸法は、開口９の閉鎖が可能で、全開位置において袖壁に納められるように適宜の寸法とされている。図例では、戸体２０の戸幅寸法を、閉鎖位置において戸体２０の戸尻側端面と中間縦枠７の反開口側となる袖壁側面とが戸幅方向で一致し、全開位置において戸体２０の戸先側端面と中間縦枠７の開口９側面とが戸幅方向で一致するような寸法としている。なお、この戸体２０を、戸幅寸法の調整が可能なように、戸幅方向一方側部位（例えば、戸尻側部位）が切断可能とされたものとしてもよい。
また、戸体２０の高さ寸法（切断前の高さ寸法）は、種々の開口高とされた開口９に適用可能なように、一般的な戸体の高さよりも大としてもよい。
【００２５】
本実施形態では、戸体２０を、四周枠２２，２３，２３，２４を備えた枠状芯材２１の四周表面に面材２６を設けたフラッシュパネル状としている。このような構成とすれば、軽量化を図ることができる。
枠状芯材２１は、図２（ｂ）に示すように、上横枠２２と一対の縦枠２３，２３と下横枠２４とからなる四周枠内に、複数の中桟２５を設けた構成とされている。
本実施形態では、戸体２０の上端側部位の切断が可能なように、上横枠２２の上下寸法を大としている。図例では、上横枠２２の上下寸法を、下横枠２４の上下寸法よりも大とした例を示している。
【００２６】
また、本実施形態では、複数本（図例では５本）の横枠材２２ａを上下に積層して上横枠２２を構成している。これら横枠材２２ａは、ステイプルや釘等の止具や、接着剤等によって互いに接合されたものとしてもよい。止具を用いて横枠材２２ａ同士を接合する場合には、アルミニウム製等の容易に切断可能な止具を採用することが好ましい。また、このように複数本の横枠材２２ａによって上横枠２２を構成した場合には、戸体２０の上端側部位を切断した後に、ねじや釘等の止具を止着して切断後の横枠材２２ａ同士の接合を補強するようにしてもよい。
なお、戸体２０を、戸幅方向一方側部位（例えば、戸尻側部位）が切断可能とされたものとした場合には、一方の縦枠２３の戸幅方向に沿う寸法を大としてもよく、また、一方の縦枠２３を、複数本の縦枠材からなるものとしてもよい。
【００２７】
また、枠状芯材２１は、少なくとも上端側部位が容易に切断可能な材料から形成されたものとしてもよい。例えば、枠状芯材２１を、合板やＬＶＬ（単板積層材）等の木質積層板や、ＰＢ（パーティクルボード）等の木質ボード、ＭＤＦ（中密度繊維板）やハードボード等の木質繊維板などの木質系材料から形成されたものとしてもよい。また、木質系材料としては、合成樹脂系材料に、木粉や無機フィラー、相溶化剤、着色剤などを所定の含有割合で含有させた木粉・プラスチック複合材（ＷＰＣ）としてもよい。また、枠状芯材２１の中空部に、適宜、ペーパーコア（ハニカムコア）や発泡樹脂等のコア材が充填されたものとしてもよい。また、枠状芯材２１に、後記する戸体２０の戸先側端部に設けられる手掛部材２７や、錠装置、戸体２０の下端部に設けられる戸車２８，２８等を取り付けるための取付下地や加工孔等を適宜、設けておくようにしてもよい。
【００２８】
面材２６は、薄板状とされ、上記同様、少なくとも上端側部位が容易に切断可能な材料から形成されている。このような面材２６としては、例えば、面材２６を、インシュレーションボードやＭＤＦ（中密度繊維板）等の木質繊維板などの木質系材料からなる板材の表面に、合成樹脂製シートや突板等の表面仕上材となる化粧シートが貼着された構成とされたものとしてもよい。また、面材２６は、枠状芯材２１の四周の角部に応じて裏面側に設けられた折曲溝の部位で折り曲げられて枠状芯材２１の四周表面に貼着されたものとしてもよい。例えば、枠状芯材２１の四周表面（戸厚方向両面及び戸幅方向両端面）に一枚からなる面材２６を一連状に巻き付けるように貼着した構成としてもよく、戸厚方向両側の二枚の面材２６，２６を枠状芯材２１の四周表面に貼着した構成としてもよい。また、枠状芯材２１の四周表面（戸厚方向両面及び戸幅方向両端面）のそれぞれに、四枚の面材２６，２６，２６，２６を貼着した構成としてもよい。なお、上端側部位が切断可能とされた戸体２０としては、枠状芯材２１の上横枠２２の上下寸法を大としたフラッシュパネル状とされたものに限られず、四方框部内に鏡板状部を設けた四方框状パネルや、全体に亘って中実状とされた板状部材等としてもよい。
【００２９】
また、戸体２０の戸先側端部の戸厚方向両側には、開閉する際の手掛けとなるハンドルや引手等の手掛部材２７が設けられている（図２（ａ）参照）。
また、戸体２０の下端部の戸幅方向両端部には、戸車２８，２８が設けられている。これら戸車２８，２８は、戸厚方向に沿う軸廻りに回転自在とされ、下レール８のガイド溝８ａに係合して転動する構成とされている。戸体２０は、戸車２８，２８を下レール８のガイド溝８ａに係合させた状態で、上端部が上レール１０の両側壁部１４，１４間に位置するように適宜の高さ寸法とされる。つまり、戸体２０は、戸車２８，２８を下レール８のガイド溝８ａに係合させた状態で、戸体２０の上端面２９が上レール１０の両側壁部１４，１４の下端部よりも上下方向で上方側に位置するように適宜の高さ寸法とされる。
なお、下レール８のガイド溝８ａに戸車２８，２８が係合する態様に限られず、下レール８のガイド溝８ａに戸体２０の下端部が係合する構成としてもよい。この場合は、戸体２０の下端部に戸車２８，２８を設けないようにしてもよい。また、この場合は、下レール８に代えて、下枠（敷居）を下ガイド部材８としてもよい。
【００３０】
戸体２０の上端面２９に取り付けられる被ガイド部材３０，３７は、上レール１０のガイド溝１１に挿入され、当該戸体２０の上端側を上レール１０に沿ってガイドする構成とされている。つまり、本実施形態では、ガイド溝１１に挿入される被ガイド部材３０，３７の戸厚方向に沿う寸法は、両側壁部１４，１４間に挿入される戸体２０（の上端部）の戸厚寸法よりも小とされている。
また、本実施形態では、被ガイド部材３０，３７を、戸体２０の上端面２９の戸先側に取り付けられる戸先側被ガイド部材３０と戸体２０の上端面２９の戸尻側に取り付けられる戸尻側被ガイド部材３７とからなるものとしている。これら被ガイド部材３０，３７は、ねじや釘等の止具によって戸体２０に取り付けられるものとしてもよい。
また、本実施形態では、戸体２０の上端面２９に沿うように取り付けられ、閉鎖位置及び全開位置のうちの少なくとも一方側に移動する戸体２０を減速させる緩衝機構３３と、上レール１０に設けられ、緩衝機構３３を作動させる作用部１８と、を備えた構成としている。本実施形態では、緩衝機構３３を、閉鎖位置に移動する戸体２０を減速させる構成としている。また、緩衝機構３３を、戸先側被ガイド部材３０に設けた構成としている。
【００３１】
また、本実施形態では、全開位置とされた戸体２０を全開位置に維持するキャッチ機構１９，３９を備えた構成としている。本実施形態では、キャッチ機構１９，３９を、上レール１０に設けられた保持部材１９と、戸体２０に設けられ、この保持部材１９に保持される被保持部３９と、からなる構成としている。また、被保持部３９を、戸尻側被ガイド部材３７に設けた構成としている。
保持部材１９は、図３に示すように、上レール１０の長手方向一端部となる戸尻側端部に設けられている。また、この保持部材１９は、上レール１０のガイド溝１１に嵌め込まれるように設けられている。この保持部材１９には、下方側及び戸先側に向けて開口し、戸尻側被ガイド部材３７を受け入れる受入空間１９ａが設けられている。また、この保持部材１９の受入空間１９ａの戸厚方向両側を区画する両側壁部の内壁面には、保持部を構成する保持凹部１９ｂ，１９ｂが互いに向き合う方向に向けて開口するように設けられている。この保持部材１９は、上レール１０に適宜の止具や接着剤等によって取り付けられるものとしてもよい。
【００３２】
戸尻側被ガイド部材３７は、上レール１０のガイド溝１１にガイドされる被ガイド部３８と、被保持部３９と、を備えている。この戸尻側被ガイド部材３７は、下端面が平坦面状とされ、戸幅方向に長尺ブロック状とされている。また、この戸尻側被ガイド部材３７は、図１に示すように、上側略半部がガイド溝１１に挿入される構成とされている。
被ガイド部３８は、図３（ａ）に示すように、戸尻側被ガイド部材３７の戸厚方向両側のそれぞれに設けられている。また、これら戸厚方向両側の被ガイド部３８，３８を、戸厚方向外側に向けて突出するように設けられた突起状としている。これら被ガイド部３８，３８が設けられた部位の戸尻側被ガイド部材３７の戸厚方向に沿う寸法がガイド溝１１の溝幅寸法と略同寸法とされ、これら被ガイド部３８，３８の突出方向先端部がガイド溝１１の溝幅方向両内壁面に摺るように接触する構成とされている。また、これら被ガイド部３８，３８は、戸尻側被ガイド部材３７の戸先側端部に設けられている。また、戸尻側被ガイド部材３７は、長手方向を戸幅方向に沿わせ、被ガイド部３８，３８が設けられた部位の戸厚方向中心と戸体２０の戸厚方向中心とが一致するように戸体２０の上端面２９に取り付けられる。
【００３３】
被保持部３９は、戸尻側被ガイド部材３７の戸厚方向両側のそれぞれに設けられ、かつ被ガイド部３８，３８よりも戸尻側に位置するように設けられている。また、これら戸厚方向両側の被保持部３９，３９を、戸厚方向外側に向けて突出するように設けられた突起状としている。また、これら被保持部３９，３９の戸幅方向両側面を、戸厚方向外側に向かうに従い先細り状となるテーパ面状としている。つまり、これら被保持部３９，３９を、上下方向に見て略等脚台形状としている。これら被保持部３９，３９が設けられた部位の戸尻側被ガイド部材３７の戸厚方向に沿う寸法は、被ガイド部３８，３８が設けられた部位の戸厚方向に沿う寸法よりも小とされている。また、これら被保持部３９，３９は、戸厚方向に弾性変形可能な構成とされている。また、これら被保持部３９，３９が保持部材１９の保持凹部１９ｂ，１９ｂに嵌り込むように係合することで、戸尻側被ガイド部材３７（戸体２０）が保持部材１９に捕捉されるようにして戸体２０が全開位置に維持される。
【００３４】
また、図例では、戸尻側被ガイド部材３７の戸尻側端部の戸厚方向両側面を、戸尻側に向かうに従い先細り状となるテーパ面状とした例を示している。
なお、保持部材１９の保持凹部１９ｂ，１９ｂが被保持部３９，３９を保持する保持力は、閉鎖側に向けて戸体２０のスライド操作が可能なように適宜の保持力としてもよい。
また、全開位置とされた戸体２０を全開位置に維持するキャッチ機構１９，３９としては、上記のような態様とされたものに限られず、その他、種々の態様とされたものの採用が可能である。また、このようなキャッチ機構１９，３９を設けないようにしてもよい。
また、上記のような突起状の被ガイド部３８，３８に代えて、ガイド溝１１の溝幅方向両内壁面に沿って上下方向に沿う軸回りに転動するローラーを被ガイド部３８，３８とした態様としてもよい。
【００３５】
戸先側被ガイド部材３０の緩衝機構３３を作動させる作用部１８は、図３に示すように、上レール１０の長手方向他端部となる戸先側端部に設けられている。また、作用部１８は、上レール１０のガイド溝１１に嵌め込まれるように取り付けられた受部材１６に設けられている。受部材１６は、上下方向に厚さ方向を沿わせて上レール１０のガイド溝１１の溝底となる天壁部１２に沿うように取り付けられる薄板状の取付部１７を備えている。この取付部１７は、上レール１０に適宜の止具や接着剤等によって取り付けられるものとしてもよい。
作用部１８は、ガイド溝１１の溝幅方向一方側内壁面に沿うように取付部１７の端部から垂れ下がるように設けられ、ガイド溝１１の他方側内壁面に向けて突出するような突片部状とされている。この作用部１８は、閉鎖側に移動する戸体２０の減速が可能なように、上レール１０の戸先側端部から所定間隔を隔てた位置となるように設けられる。
【００３６】
戸先側被ガイド部材３０は、上レール１０のガイド溝１１にガイドされる被ガイド部３２と、緩衝機構３３と、を備えている。この戸先側被ガイド部材３０は、上記同様、下端面が平坦面状とされ、戸幅方向に長尺ブロック状とされている。また、この戸先側被ガイド部材３０は、図１に示すように、上側略半部がガイド溝１１に挿入される構成とされている。
また、戸先側被ガイド部材３０は、図３に示すように、緩衝機構３３を収容し、当該戸先側被ガイド部材３０の外郭を構成するケーシング３１の戸尻側端部に、被ガイド部３２を設けた構成とされている。なお、図例では、戸先側被ガイド部材３０と戸尻側被ガイド部材３７とを連結するように戸厚方向に厚さ方向を沿わせたプレート状部材を設けた例を示しているが、このようなものを設けないようにしてもよい。
被ガイド部３２は、ケーシング３１の戸厚方向一方側から戸厚方向外側に向けて突出するように設けられた突起状とされている。図例では、突出方向先端部を、上下方向に見て突湾曲面形状とした例を示している。また、ケーシング３１の戸厚方向他方側面を、略全面に亘って略平坦面状としている。
【００３７】
被ガイド部３２が設けられた部位の戸先側被ガイド部材３０の戸厚方向に沿う寸法は、ガイド溝１１の溝幅寸法と略同寸法とされている。また、この被ガイド部３２の突出方向先端部及びケーシング３１の戸厚方向他方側面がガイド溝１１の溝幅方向両内壁面に摺るように接触する構成とされている。また、戸先側被ガイド部材３０は、上記同様、長手方向を戸幅方向に沿わせ、被ガイド部３２が設けられた部位の戸厚方向中心と戸体２０の戸厚方向中心とが一致するように戸体２０の上端面２９に取り付けられる。なお、ケーシング３１の戸厚方向他方側にも被ガイド部３２を設けた態様としてもよい。また、このような突起状の被ガイド部３２に代えて、ガイド溝１１の溝幅方向両内壁面に沿って上下方向に沿う軸回りに転動するローラーを被ガイド部３２とした態様としてもよい。また、ケーシング３１の戸尻側端部に被ガイド部３２を設けた態様に代えて、戸先側端部に設けた態様としてもよく、また、戸幅方向に間隔を空けて複数箇所に被ガイド部３２を設けた態様としてもよい。
また、図例では、ケーシング３１の戸先側端部の戸厚方向両側面を、戸先側に向かうに従い先細り状となるテーパ面状とした例を示している。
【００３８】
緩衝機構３３は、上記した作用部１８に係合し、戸体２０に対して戸幅方向にスライドされるスライド体３４を備えている。
本実施形態では、緩衝機構３３を、閉鎖側に移動する戸体２０を減速させる機能に加え、戸体２０の閉鎖側への移動をアシスト（助勢）する機能（引込機能）を有した構成としている。つまり、この緩衝機構３３は、閉鎖側に移動する戸体２０を減速させながら閉鎖側に助勢する構成とされている。このような緩衝機構３３としては、閉鎖側に移動する戸体２０に対して相対的に戸尻側に移動するスライド体３４の抵抗となるダンパー（ショックアブソーバー）や、このダンパーに抗してスライド体３４を付勢する付勢部材を備えたものとしてもよい。
【００３９】
図例では、スライド体３４を先端部に設けたロッドを戸先側に伸縮自在に設けたシリンダーを緩衝機構３３とした例を示している。この緩衝機構３３には、ロッドを縮退方向、つまり、戸尻側に付勢し、戸体２０を閉鎖側に助勢する引張コイルばね等からなる付勢部材が設けられている。また、緩衝機構３３には、この付勢部材の付勢に抗するように、縮退されるロッドの作動抵抗となるダンパーが設けられている。このダンパーの作動抵抗（作動流体の粘性抵抗等）によって付勢部材の復元が抑えられてスライド体３４の移動が減速され、閉鎖側に移動する戸体２０の減速がなされる構成とされている。
【００４０】
スライド体３４は、上記した作用部１８に戸幅方向両側から挟むように係合する第１突起部３５と第２突起部３６とを有している。これら第１突起部３５及び第２突起部３６は、ケーシング３１の戸厚方向一方側面から戸厚方向外側に向けて突出するように設けられている。これら第１突起部３５及び第２突起部３６の戸厚方向外側への突出寸法は、上記した被ガイド部３２の戸厚方向外側への突出寸法よりも小とされている。ケーシング３１の戸厚方向一方側には、これら第１突起部３５及び第２突起部３６のスライドを可能とする戸幅方向に長尺なスライド溝が設けられている。
戸先側に設けられた第１突起部３５は、戸体２０のスライドを伴い作用部１８に対する係合解除が可能なように、ケーシング３１に対して戸厚方向に概ね沿う方向に出没自在とされている。この第１突起部３５は、作用部１８よりも戸尻側に位置する際には没入状態とされ、作用部１８の戸先側において突出状態とされ、作用部１８の戸先側に係合する構成とされている。
【００４１】
この第１突起部３５は、ロッドの先端部に対して上下方向に沿う軸廻りに回転自在とされて出没される構成とされたものでもよい。ケーシング３１のスライド溝は、戸先側端部に、第１突起部３５の没入を許容する大径部を設けた構成とされ、この大径部よりも戸尻側部位において第１突起部３５を突出させた状態でスライドさせる構成とされている。また、緩衝機構３３には、このように没入状態とされた第１突起部３５を保持する保持部が設けられている。また、スライド体３４の適所に、作用部１８への当接に伴い没入状態とされた第１突起部３５を突出させる当接部を設けた構成としてもよい。
第２突起部３６は、常に突出した状態とされ、作用部１８の戸尻側に係合する構成とされている。なお、この第２突起部３６が没入状態とされた第１突起部３５を突出させる当接部として機能するものとしてもよい。
【００４２】
図４（ａ）、（ｂ）に示すように、戸体２０を閉鎖側に移動させ、没入状態とされた第１突起部３５が作用部１８を越え、作用部１８に第２突起部３６が当接すれば、第１突起部３５が突出する。これにより、スライド体３４に作用部１８が係合して緩衝機構３３が作動、つまりは、ロッドの縮退による減速と付勢部材の付勢による助勢とがなされ、図３に示すように、戸体２０が閉鎖位置となる。
また、戸体２０を閉鎖位置から開放側に移動させれば、作用部１８によって緩衝機構３３が助勢力を蓄勢するように作動される。つまり、作用部１８に第１突起部３５が係合したスライド体３４に対して戸体２０が開放側に移動することで、ロッドが伸長され、第１突起部３５がスライド溝の戸先側端部に至れば、没入して保持される。これにより、作用部１８とスライド体３４（第１突起部３５）との係合が解除され、戸体２０の開放側への移動が可能となる。
【００４３】
上記構成とされた戸体２０を施工する際には、図５に示すように、上端面２９に被ガイド部材３０，３７を取り付ける前の戸体２０を、上レール１０及び下レール８に仮保持させ、戸体２０の上端面２９の高さ位置の適否を確認するようにしてもよい。つまり、戸体２０の上端部を上レール１０の両側壁部１４，１４間に差し入れ、戸体２０の戸車２８，２８を下レール８のガイド溝８ａに係合させた状態で、戸体２０の上端面２９の高さ位置の適否を確認するようにしてもよい。この際、戸体２０が開口９の開口高Ｈ１に応じた寸法となるように、戸体２０の上端側部位を予め切断しておくようにしてもよい。そして、上レール１０及び下レール８に仮保持された戸体２０の上端面２９が望ましい高さ位置であるか否かや、上端面２９に傾斜がないか否かを、上レール１０の両側壁部１４，１４の目印溝１５，１５によって確認するようにしてもよい。
【００４４】
つまり、二点鎖線で示すように、戸体２０の上端面２９が戸厚方向一方に下るように傾斜していれば、上端面２９の戸厚方向両側縁にそれぞれ対応する各側壁部１４，１４の目印溝１５，１５の高さ位置が異なることとなり、傾斜有無を容易に判別することができる。また、戸体２０の上端面２９の戸幅方向両側縁にそれぞれ対応する各側壁部１４，１４の目印溝１５，１５の高さ位置を確認することで、戸体２０の上端面２９の戸幅方向への傾斜有無を判別することもできる。
また、このような各側壁部１４，１４の目印溝１５，１５の高さ位置の違いを目安にして、戸体２０の上端部を切削や研磨等して容易に再調整することができる。また、戸車２８，２８に戸体２０の上下位置を調整し得る調整機能が設けられている場合には、当該調整機能によって調整するようにしてもよい。図例では、下段側から４本目の目印溝１５，１５の溝底を、戸体２０の上端面２９の望ましい高さ位置とした例を示している。このように戸体２０の上端面２９が適切な高さ位置となれば、上端面２９に被ガイド部材３０，３７を取り付けて戸体２０を建て付けるようにしてもよい。
【００４５】
また、図６に示すように、開口高Ｈ２が上記よりも小とされた開口９Ａに施工する際にも、この開口高Ｈ２に応じた寸法となるように上端側部位が切断された戸体２０Ａを上記同様、仮保持させ、上端面２９の高さ位置の適否を容易に確認することができる。
なお、図５及び図６では、受部材１６を上レール１０に取り付けた状態で、戸体２０，２０Ａを仮保持させた例を示しているが、受部材１６を取り付ける前に、戸体２０，２０Ａを仮保持させて上端面２９の高さ位置の適否を確認するようにしてもよい。
また、上記した例では、上レール１０の目印溝１５，１５によって、上端側部位が切断された戸体２０，２０Ａの上端面２９の高さ位置を確認する例について説明したが、非切断の戸体２０の上端面２９の高さ位置も当然に確認可能である。
【００４６】
本実施形態に係る引戸装置１は、上述のような構成としたことで、戸体２０の高さ寸法の調整が可能でありながらも、施工性を向上させることができる。
つまり、戸体２０の高さ寸法の調整が可能なように戸体２０の上端側部位を切断可能としている。従って、戸体２０の上端側部位を切断することで、開口９（９Ａ）の開口高Ｈ１（Ｈ２）に応じた寸法となるように戸体２０（２０Ａ）の高さ寸法を調整することができる。これにより、既設の開口９（９Ａ）を区画する壁体２の改築などの大掛かりな工事を少なくすることができ、改装用の戸体２０として好適なものとなる。
また、上レール１０に設けられたガイド溝１１に挿入される被ガイド部材３０，３７を、戸体２０の上端面２９に沿うように取り付けられるものとしている。従って、切断後の戸体２０の上端部に取付凹所を加工する必要があるようなものと比べて、被ガイド部材３０，３７を切断後の戸体２０に容易に取り付けることができ、施工性を向上させることができる。
【００４７】
また、戸体２０の上端部を受け入れる上レール１０の戸厚方向両側壁部１４，１４の内壁面に、戸体２０の上端面２９の高さ位置の確認が可能なように、複数の目印部（目印溝）１５，１５を上下方向に間隔を空けて、かつ互いに対向する位置となるように設けている。従って、上述のように、戸体２０の上端面２９に被ガイド部材３０，３７を取り付ける前に、戸体２０を仮保持させた状態で、上レール１０の両内壁面に設けられた目印部１５，１５によって戸体２０の上端面２９の高さ位置を容易に確認することができる。つまり、戸体２０の上端面（切断面）２９の高さ位置が所定位置であるか否かや、上端面２９の傾斜有無を容易に確認することができ、再調整の必要性を容易に確認することができる。これにより、戸体２０の上端面２９に被ガイド部材３０，３７を適切に取り付けることができ、戸体２０の上端側のガイドが阻害されるようなことを抑制することができる。また、戸体２０の上端部が上レール１０に受け入れられるので、上端面２９を目立ち難くすることができる。
【００４８】
また、本実施形態では、上レール１０の戸厚方向両側壁部１４，１４の内壁面の複数の目印部１５，１５を、上下方向に等間隔を空けて設けた構成としている。従って、再調整を要する場合に、戸体２０の上端面２９の高さ位置に対応する目印部１５，１５と適切な目印部１５，１５の位置とを確認することで、再調整する際の目安にすることができ、施工性をより向上させることができる。なお、このような態様に代えて、複数の目印部１５，１５を、隣り合う目印部１５，１５同士の間隔が異なるように設けた態様としてもよい。
【００４９】
また、本実施形態では、上レール１０の戸厚方向両側壁部１４，１４の内壁面の複数の目印部１５，１５を、上レール１０の長手方向に延びるように全長に亘って設けられたライン状目印部１５，１５としている。従って、両側の目印部１５，１５をレール長手方向に短尺なドット状の印等としたものと比べて、戸体２０の上端面２９の高さ位置をより容易に確認することができる。これにより、戸体２０の上端面２９の戸幅方向両端側の高さ位置のずれや戸幅方向の傾斜有無の確認も容易に行うことができる。
【００５０】
また、本実施形態では、上レール１０の戸厚方向両側壁部１４，１４の内壁面の複数のライン状目印部１５，１５を、互いに向き合う方向に向けて開口する目印溝１５，１５としている。従って、ペイント等によってライン状目印部１５，１５を構成したものと比べて、視認性を向上させることができ、戸体２０の上端面２９の高さ位置をより容易に確認することができる。また、上レール１０を押出成形品とすれば、複数の目印溝１５，１５を押出成形する際に設けることができ、効率的に製造可能で、かつ複数の目印溝１５，１５のピッチ等の寸法精度を向上させることができる。
また、本実施形態では、略Ｖ字溝状の目印溝１５，１５としているので、溝底と開口縁とに境界線が形成され、これらをライン状目印部として把握することもでき、ライン状目印部のピッチを効果的に細かくすることができる。
【００５１】
なお、ライン状目印部１５，１５を目印溝１５，１５とした態様に代えて、対向方向に向けて突出する目印突条としてもよい。この場合は、目印突条間の溝を目印溝として把握することも可能である。また、複数のライン状目印部１５，１５を、ライン状に塗布された塗膜部（ペイント部）としたり、両内壁面に貼着されるシートに印刷された複数のライン等としたりしてもよい。
また、目印部１５，１５をライン状目印部１５，１５とした態様に代えて、レール長手方向に短尺なドット状の印や凹部、突部等としてもよい。この場合は、戸体２０を戸幅方向にスライドさせて上端面２９の戸幅方向両端側の高さ位置を確認するような態様としてもよい。また、この場合は、目印部１５，１５を、レール長手方向に沿って間隔を空けて複数箇所に設けた態様としてもよい。
【００５２】
また、本実施形態では、閉鎖位置及び全開位置のうちの少なくとも一方側に移動する戸体２０を減速させる緩衝機構３３と、この緩衝機構３３を作動させる作用部１８と、を備えた構成としている。従って、閉鎖位置及び全開位置のうちの少なくとも一方側に移動する戸体２０の衝撃を緩和することができる。また、緩衝機構３３を戸体２０の上端面２９に沿うように取り付けられる構成としているので、上記同様、切断後の戸体２０の上端部に取付凹所を加工する必要があるようなものと比べて、緩衝機構３３を切断後の戸体２０に容易に取り付けることができ、施工性を向上させることができる。また、上記同様、戸体２０の上端面２９に緩衝機構３３を適切に取り付けることができるので、上レール１０の作用部１８に対する位置ずれを抑制することができ、緩衝機構３３の作動が阻害されるようなことを抑制することができる。
【００５３】
なお、本実施形態では、閉鎖位置に移動する戸体２０を減速させる緩衝機構３３を設けた例を示しているが、これに代えて、または加えて、全開位置に移動する戸体２０を減速させる緩衝機構３３を設けた態様としてもよい。この場合は、戸尻側被ガイド部材３７に緩衝機構３３を設けた構成としてもよい。また、単一の緩衝機構３３によって閉鎖位置及び全開位置の両側に移動する戸体２０を減速し得る構成としてもよい。この場合は、上レール１０に設けられる作用部１８を二箇所に設けるなど、適宜、必要に応じて変形するようにしてもよい。また、本実施形態では、戸先側被ガイド部材３０（または戸尻側被ガイド部材３７）に緩衝機構３３を設けた例を示しているが、被ガイド部材３０，３７とは別途に緩衝機構３３を設けた構成としてもよい。また、緩衝機構３３としては、上記のような構成とされたものに限られず、作用部１８に係合し、戸厚方向に沿う軸廻りに回転する作動アームを有したものとしてもよく、その他、種々の変形が可能である。また、このような緩衝機構３３の構造に対応させて、作用部１８を適宜、変形するようにしてもよい。さらには、このような緩衝機構３３や作用部１８を設けないようにしてもよい。
【００５４】
また、本実施形態では、上レール１０に、戸体２０の上端部を受け入れる両側壁部１４，１４間の寸法よりも溝幅寸法が小とされ、被ガイド部材３０，３７を受け入れるガイド溝１１を設けた例を示しているが、このような態様に限られない。例えば、戸体２０の上端面２９に戸厚方向に沿う寸法が戸厚寸法と略同寸法とされた被ガイド部材３０，３７が取り付けられるものとし、両側壁部１４，１４間をガイド溝１１とするような態様としてもよい。
また、上記した例では、片引き状に袖壁に納められる一枚の戸体２０を備えた引戸装置１を例示しているが、このような態様に限られない。例えば、引分け状に両側の袖壁に納められる二枚の戸体２０を備えた引戸装置１としてもよい。この場合は、上レール１０の長さ等を適宜、変形するようにすればよい。また、袖壁納めで建て付けられるものに限られず、戸袋納めで建て付けられる戸体２０を備えた引戸装置１としてもよい。
【００５５】
また、上記のような袖壁や戸袋納めで建て付けられる構成とされたものに限られず、壁体２に設けられた開口９をこの開口９の壁厚方向一方側において開閉するように壁体２の一方面に沿って、いわゆるアウトセット納め状に建て付けられる構成とされたものでもよい。この場合は、上レール１０の取付対象を、上枠４とせずに、適宜の取付ブラケットや天井下地等としてもよい。
また、引き違い状に建て付けられる複数枚の戸体２０を備えた引戸装置１としてもよい。この場合は、上レール１０に、それぞれの戸体２０の上端部を受け入れる両側壁部１４，１４によって区画される凹溝や、ガイド溝１１を複数本設けた構成としてもよい。また、この場合は、隣り合う凹溝を区画する側壁部１４を兼用のものとし、厚さ方向両壁面を内壁面として把握し、両壁面に目印部１５，１５を設けた態様としてもよい。または、並列状に配される上記同様の複数本の上レール１０を備えた構成としてもよい。本実施形態に係る引戸装置１の戸体２０の枚数や納め態様としては、上記のような態様に限られず、その他、種々の態様としてもよい。
【符号の説明】
【００５６】
１            引戸装置
８            下レール（下ガイド部材）
１０          上レール
１１          ガイド溝
１４          側壁部
１５          目印溝（目印部、ライン状目印部）
１８          作用部
２０，２０Ａ  戸体
２９          上端面（切断面）
３０          戸先側被ガイド部材（被ガイド部材）
３３          緩衝機構
３７          戸尻側被ガイド部材（被ガイド部材）
【図１】
2017141617.tif 000003
【図２】
2017141617.tif 000004
【図３】
2017141617.tif 000005
【図４】
2017141617.tif 000006
【図５】
2017141617.tif 000007
【図６】
2017141617.tif 000008